(57)【特許請求の範囲】
【請求項１】
眼科領域の手術に用いられる光学レンズを収納するレンズトレーであって、
医療器具に施される滅菌処理にて、滅菌処理が可能な材料で構成され、
前記光学レンズを収納する筒状部を２箇所以上有し、
前記筒状部における底部の肉厚を、光学レンズの形状に合わせて調節することで、前記光学レンズを収納したレンズトレーをカバー付きのケース内へ設置した場合において、光学レンズとカバーとの間隙が一定になるようにし、 
前記筒状部に収納される光学レンズを認識可能にする形状および／または文字を型取った刻印を、前記筒状部の近傍に設けたことを特徴とするレンズトレー。
【請求項２】
前記光学レンズを収納する筒状部に切り欠け部を設けたことを特徴とする請求項１に記載のレンズトレー。
【請求項３】
前記レンズトレーの材質としてシリコンゴムを用いたことを特徴とする請求項１又は２に記載のレンズトレー。
【請求項４】
前記筒状部の間、または前記筒状部とレンズトレー内壁との間、または収納凹部に、医療器具を収納可能なことを特徴とする請求項１ないし３のいずれかに記載のレンズトレー。
【発明の詳細な説明】
【０００１】
【発明の属する技術分野】
本発明は類似形状の多いにもかかわらず、的確な光学レンズを素早く選択しなければならない、眼科領域の外科手術に用いられる光学レンズを収納するレンズトレーに関する。
【０００２】
【従来の技術】
眼科領域の外科手術に用いられる光学レンズには、外径は同じでありながら様々な形状をしたものが多数ある。
例えば、両面凸であるものが両凸レンズ、１面が凸で他の１面が平面であるものが平凸レンズ、１面が凸で他の１面が凹であるが凸面の半径が凹面の半径より小さいものが凸メニスカス、両面共凹であるものが両凹レンズ、１面が平面で他の１面が凹であるものが平凹レンズ、１面が凸で他の１面が凹であるが凸面の半径が凹面の半径より大きいものが凹メニスカス、等がある。
従来このようにさまざまな種類を有する光学レンズを収納するには、個々のレンズを単独で収納するコンテナーが主に用いられている。
【０００３】
【発明が解決しようとする課題】
しかしながら、外科手術の際は複数の光学レンズを適宜交換しながらおこなわれるため、それら複数の光学レンズをひとつのコンテナーに収納できることが好ましい。
図１４に小型の医療器具を収納するゴム製の汎用トレー８を示す。
例えば、この汎用トレー８を用いて、複数の光学レンズを収納した場合、トレーには単に突起物が付いているだけで、その突起物の間に光学レンズを収納するだけのものとなる。これではレンズを取り出すときに誤って別のレンズを取り出してしまう可能性があり、また定められた位置にレンズを収納する収納部を有しているわけではなく、レンズとレンズがランダムに置いているだけであるため、時としてレンズとレンズが接触し、相互のレンズが欠けてしまうこともあり得る。さらにこの単に突起物が付いているだけの汎用トレー８は外観も好ましくない。
【０００４】
本発明は上述の問題を解消するためになされたものであって、外科手術に用いられる光学レンズを、物理的に保護された状態で、誤りなく且つ衛生的に、取り出し、収納、保管、運搬、および滅菌作業が可能なレンズトレーを提供することを目的とする。
【０００５】
【課題を解決するための手段】
上述の課題を解決するために、本発明者は外科手術に用いられる光学レンズを収納するレンズトレーが具備すべき要件を追求し、その要件を満足する形状、素材、等を検討した結果なされたものであり、第１の発明は、眼科領域の手術に用いられる光学レンズを収納するレンズトレーであって、医療器具に施される滅菌処理にて、滅菌処理が可能な材料で構成され、前記光学レンズを収納する筒状部を２箇所以上有し、 前記筒状部における底部の肉厚を、光学レンズの形状に合わせて調節することで、前記光学レンズを収納したレンズトレーをカバー付きのケース内へ設置した場合において、光学レンズとカバーとの間隙が一定になるようにし、  前記筒状部に収納される光学レンズを認識可能にする形状および／または文字を型取った刻印を、前記筒状部の近傍に設けたことを特徴とするレンズトレーである。
【０００６】
第２の発明は、前記光学レンズを収納する筒状部に切り欠け部を設けたことを特徴とする第１の発明にかかるレンズトレーである。
【０００９】
第３の発明は、レンズトレーの材質としてシリコンゴムを用いたことを特徴とする第１又は第２の発明にかかるレンズトレーである。
【００１１】
第４の発明は、前記筒状部の間、または前記筒状部とレンズトレー内壁との間、または収納凹部に、医療器具を収納可能なことを特徴とする第１ないし第３の発明のいずれかにかかるレンズトレーである。
【００１２】
【発明の実施の形態】
本発明の一実施の形態について図面を用いて説明する。
図１は本発明のレンズトレー１斜視図であり、図２はレンズトレー１の上面図であり、図３は図２のＡ−Ａ線における断面図である。
尚、図１〜３において対応する部分には同一の符号を付して示した。
図４は本発明のレンズトレー１が設置されるレンズコンテナー本体２の一例の斜視図であり、図５は前記レンズコンテナーのカバー３の斜視図である。
図６〜１３は本発明の異なる実施の形態にかかるレンズトレー４〜７の概略を示す斜視図、上面図、断面図である。これら、レンズトレー４〜７については、レンズトレー１に関する説明の後に説明する。
図１４は［発明が解決しようとする課題］にて説明したように、従来の汎用トレー８の一例を示す斜視図である
【００１３】
図１〜３において、レンズトレー１は後述する素材により一体的に成形され、２箇所以上の光学レンズを収納する筒状部（以下「筒状部」と記載する。）１２、と光学レンズ関連付属品収納凹部（以下「収納凹部」と記載する。）１３、およびレンズトレー外壁１９を有している。
そして筒状部１２と収納凹部１３は水抜き孔１４有し、さらに筒状部１２は収納される光学レンズ１５の外径に適合する内径を有し、且つ筒状部底部１６の厚みは、後述するように収納される光学レンズ１５の厚みに適合するよう適宜設定される。
また、筒状部１２の近傍にはその筒状部１２に収納されるべき光学レンズ１５の形状を型取った刻印１１があり、この刻印１１によって筒状部１２に収納すべき光学レンズ１５を誤ることなく容易に認識できる。また取り出すときも刻印１１の形状より、容易に必要とする光学レンズ１５を取り出すことができるようになっている。この刻印１１は本実施の形態のような光学レンズ１５の形状を型取ったシンボルでもよいし文字、数字、等であってもよい。
【００１４】
尚、この刻印１１は、レンズトレー１の底部より盛り上がった構造でも良いし、レンズトレー１の底部を彫った構造としてもよい。さらに刻印１１をより鮮明に認識させるため、レンズトレー１の色とは異なる色彩を刻印１１に施すことも可能である。
【００１５】
次に、刻印１１として、シンボルとアルファベットとを並記することも好ましい。
何となれば、一般に光学レンズ１５にはそれぞれ名称や番号等が付記されており、その名称や番号で光学レンズ１５を認識しているユーザーにとっては、このような名称や番号がレンズトレーに刻印されていることはかなり便利だからである。
例えば外科手術の際、医師が光学レンズを選択し、看護婦がその選択に従ってレンズトレーから光学レンズを取り出し医師に手渡すが、レンズトレーの刻印により、医師の選択が的確且つ確実に看護婦に伝わることとなる。
従ってこのような刻印として筒状部の近傍に光学レンズ１５の名称や番号を刻印しておくことは好ましい実施の形態である。
一方、図１〜３において、筒状部間および筒状部とレンズトレー外壁との間にはそれぞれ隙間１７、１８が設けられている。
【００１６】
次にレンズトレー１の使用の形態例について説明する。
まず図４に示す、レンズコンテナー２に本発明のレンズトレー１を設置し、筒状部１２に光学レンズ１５を収納する。さらにこの光学レンズ１５に関わる付属器具をその形状に応じ、例えば小物部品は収納凹部１３、例えばピンセットは筒状部間の隙間１７、または筒状部とレンズトレー外壁との隙間１８に収納するといったように適宜収納していく。
【００１７】
この光学レンズ１５の収納の際、刻印１１を参照しながら、然るべき光学レンズ１５を然るべき筒状部１２に誤ることなく容易に収納できる。
且つまた、光学レンズを１５取り出すときも刻印１１を参照することで、例えば手術の際のような緊迫した状況においても、誤りなく容易に必要とする光学レンズ１５を取り出すことができる。
【００１８】
レンズコンテナー２中に設置されたレンズトレー１への、光学レンズ１５等の収納が完了したら、図５に示すレンズコンテナーのカバー３をかける。
ここで前述したように、筒状部底部１６の厚みを、収納される光学レンズ１５の厚みに適合するよう適宜設定することで、光学レンズ１５の上端面とレンズコンテナーのカバー３との間隔を一定にすることができる。
この間隔を一定にしておくことで、光学レンズ１５の上端面とレンズコンテナーのカバー３との衝突による光学レンズ１５の破損を未然に防止するができる。
【００１９】
何となれば、医療用の光学レンズ１５はガラス製であり、さらに上述のごとく様々な形状をした光学レンズがある。そのため周辺部が欠けやすい構造をしたものもある。またその外周の大きさが同一であってもその形状の違いから、レンズの高さは個々に応じ様々であり、その高さの違いはかなりある。そのため筒状部の深さをすべて同じにしたレンズトレーの場合、レンズコンテナー２を運搬する際に、光学レンズ１５が上下に動き回り縁が欠けてしまう可能性があるからである。
よって筒状部１２の深さは、収納するレンズに応じ、それぞれのレンズに適した深さにすることが好ましい。また上記の如く、レンズコンテナー２を運搬する際に、光学レンズ１５が上下に動き回り縁が欠けてしまうことのないように、レンズコンテナーのカバー３を閉めたとき、レンズコンテナーのカバー３と光学レンズ１５との間隙を一定になるように設計されており、その間隙は、例えば０．１〜 ２ｍｍである。
【００２０】
次に、医療器具である光学レンズ１５は手術室等の医療現場で使用されるため、感染防止の観点から、使用に先立って滅菌消毒する必要があるが、この滅菌消毒の際、作業性の観点から光学レンズ１５をレンズコンテナー２に入れ、レンズコンテナーのカバー３をかけたまま滅菌できることが望まれる。
そこで本発明のレンズトレー１は、光学レンズ１５に使用される様々な滅菌条件（高圧蒸気滅菌、ガス滅菌、等）にも耐え得ることが求められる。これらの滅菌条件に耐え得る条件としては、レンズトレーの材質が、耐熱性であること、ガス滅菌用のガスに侵食されないことなどが必要である。
【００２１】
このような条件に適した素材としては、シリコンゴムが好ましい。シリコンゴムは耐熱性であり、物理的にもゴム質で軟らかいため光学レンズ１５と接触しても破損させる危険性がない。さらに医療現場での使用実績も十分有していることからレンズトレー１の構成素材にはシリコンゴムを用いることが好ましい。
【００２２】
もちろんレンズトレー１の構成素材にはシリコンゴムに限られるわけではなく、プラスチック、金属等、容易に変形しないものであれば如何なる材質が用いられてもよい。特にプラスチックを用いた場合は、それらの材質がレンズより軟らかいと、前述したシリコンゴムの場合と同様に、レンズの欠けを防止する効果を有している。さらにプラスチック成形手段によりいろいろなデザインのものが容易に経済的に得られ、さらに加えて、着色原料を用いて成形することにより、様々な色彩のものが容易に得られるので好ましい素材である。
【００２３】
また滅菌方法として高圧蒸気滅菌の使用する場合には、蒸気となった大量の水が滅菌後冷やされて筒状部１２中に残ってしまう。この残った水をそのままにしておくと、その水が乾燥したとき筒状部１２収納された光学レンズ１５に液染みを作ってしまう。光学レンズの場合、このような液染みはその光学的特性に悪影響を与えるので好ましくない。そのため筒状部１２には高圧蒸気滅菌時の残水を抜く水抜き用の孔１４を設けてある。
【００２４】
さらに滅菌方法としてガス滅菌の使用する場合には、前記水抜き用の孔１４がガスの通り道となり光学レンズ１５が効果的に滅菌されるという効果も有している。
また、レンズコンテナー２およびレンズコンテナーのカバー３には、滅菌処理の際、蒸気やガス滅菌用のガスが流通するための貫通孔２１、３１、がそれぞれ設けられている。
【００２５】
滅菌が完了したレンズコンテナーは手術室へ運搬され、医療器具の載置台に載置される。
手術の進行に伴い、医師または看護婦は適宜、所要の光学レンズ１５を刻印１１を参照しながらレンズトレー１より取り出して使用し、使用完了したら再度刻印１１を参照しながら、レンズトレー１へ戻す。この際、万一、誤った筒状部１２へ光学レンズ１５を戻そうとしても、筒状部底部１６の厚みの差により、誤りに気が付くことができる。また、常に光学レンズ１５の総数を確認できることから、手術中の光学レンズ１５の紛失をも未然に防止することができる。
【００２６】
手術が完了したら、再びレンズコンテナーのカバー３を閉めて手術室から搬出し、滅菌処理を施した後、次回の手術までこのままの状態で保管することができる。
【００２７】
ここで本発明の異なる実施の形態にかかる、レンズトレー４〜７について説明する。
（レンズトレー４）
図６は本発明の実施の形態にかかるレンズトレー４の概略を示す斜視図であり、図７は上面図であり、図８は図７のＢ−Ｂ線における断面図である。
レンズトレー４は光学レンズを収納する筒状部に替えてレンズ収納部４３とレンズ収納孔４４を設けた例である。光学レンズはレンズ収納孔４４に収納され、且つレンズ収納孔４４の底部の厚みは、光学レンズの上端面とレンズコンテナーのカバー３との間隔が一定になるように、適宜設定する。レンズ収納部４３はレンズ収納孔４４への光学レンズの出し入れを容易にすると同時に、光学レンズの種類を示す刻印４１、４２を打つ場所として好適である。
【００２８】
（レンズトレー５）
図９は本発明の実施の形態にかかるレンズトレー５の概略を示す上面図である。
レンズトレー５は、筒状部に切り欠け部を設けたタイプである。すなわち筒状部５２の両端に切り欠け部５３を設け、光学レンズの出し入れを容易にしている。
【００２９】
（レンズトレー６）
図１０は本発明の実施の形態にかかるレンズトレー６の概略を示す断面図である。尚、図１０におけるレンズトレー６の断面は図２のＡ−Ａ線に相当する部分である。
レンズトレー６は、レンズトレー１において、筒状部の上部の内径を下部の内径より大きくしたタイプである。すなわち筒状部６２の上部の内径６３を下部の内径６４より大きくしたことで、光学レンズの出し入れを容易にしている。
【００３０】
（レンズトレー７）
図１１は本発明の実施の形態にかかるレンズトレー７の概略を示す斜視図であり、図１２は上面図であり、図１３は図１２のＣ−Ｃ線における断面図である。レンズトレー７はレンズトレー１〜６に、大きな収納凹部７１を設けたタイプである。（図示しているのはレンズトレー５に大きな収納凹部７１を設けた例である。）
大きな収納凹部７１を設けることで、レンズトレー１〜６における収納凹部や筒状部の間に収まりきらない、医療用部品や器具をも収納可能としているものである。
尚、レンズトレー７において水抜き孔７４は９箇所設けてあるが、筒状部毎に設けることとしてもよい。
【００３１】
【発明の効果】
以上詳述したように、本発明は、外科手術に用いられる光学レンズを、物理的に保護された状態で、誤りなく且つ衛生的に、取り出し、収納、保管、運搬、および滅菌作業をおこなうことが可能なレンズトレーとして、前記光学レンズを収納する筒状部を２箇所以上有することを特徴とするレンズトレーを発明し、前記目的を達成することができた。
【図面の簡単な説明】
【図１】本発明の一実施の形態にかかるレンズトレー１の概略を示す斜視図である。
【図２】本発明の一実施の形態にかかるレンズトレー１の概略を示す上面図である。
【図３】図２に示したレンズトレー１のＡ−Ａにおける断面図である。
【図４】本発明の一実施の形態にかかるレンズコンテナーの概略を示す斜視図である。
【図５】本発明の一実施の形態にかかるレンズコンテナーのカバーの概略を示す斜視図である。
【図６】本発明の異なる実施の形態にかかるレンズトレー４の概略を示す斜視図である。
【図７】本発明の異なる実施の形態にかかるレンズトレー４の概略を示す上面図である。
【図８】図７に示したレンズトレー４のＢ−Ｂにおける断面図である。
【図９】本発明の異なる実施の形態にかかるレンズトレー５の概略を示す上面図である。
【図１０】本発明の異なる実施の形態にかかるレンズトレー６の概略を示す断面図である。
【図１１】本発明の異なる実施の形態にかかるレンズトレー７の概略を示す斜視図である。
【図１２】本発明の異なる実施の形態にかかるレンズトレー７の概略を示す上面図である。
【図１３】図１２に示したレンズトレー７のＣ−Ｃにおける断面図である。
【図１４】従来の汎用トレーの一例を示す斜視図である。
【符号の説明】
１．  レンズトレー
１１．刻印
１２．筒状部
１３．収納凹部
１４．水抜き孔
１５．レンズ
１６．筒状部底部
１７．筒状部間の隙間
１８．筒状部とレンズトレー外壁との隙間
１９．レンズトレー外壁
【図１】
0003670586.tif 000002
【図２】
0003670586.tif 000003
【図３】
0003670586.tif 000004
【図４】
0003670586.tif 000005
【図５】
0003670586.tif 000006
【図６】
0003670586.tif 000007
【図７】
0003670586.tif 000008
【図８】
0003670586.tif 000009
【図９】
0003670586.tif 000010
【図１０】
0003670586.tif 000011
【図１１】
0003670586.tif 000012
【図１２】
0003670586.tif 000013
【図１３】
0003670586.tif 000014
【図１４】
0003670586.tif 000015